(57)【要約】【課題】処理機本体外の温度に影響されずに、加熱ヒーターの発熱効率を向上させ、且つ逆止弁の誤作動を解消することを目的として発明されたものである。【解決手段】厨芥を収納する収納容器と、前記収納容器を収納する乾燥室、乾燥室内の空気を循環させるための空気循環路、空気循環路内の空気を加熱する加熱ヒーター、空気循環路に設けられた送風機、乾燥室外の空気を乾燥室内に取り込むための吸気部、空気循環路中の空気を前記乾燥室内と後記する排気部へと分岐する分岐部、分岐部に連通し、分岐部から流入した空気を排水管に排出する排気部、前記排気部に備えられ、処理機本体内の空気は外部へと排出させ、且つ処理機本体外から内部へ侵入する空気は遮断する逆流防止弁、から成る処理機本体と、から構成した厨芥処理機において、前記吸気部を、吸気口を設けたカバー本体で覆って構成したことを特徴とする厨芥乾燥機。【選択図】図１
2005144246.tif 000002
【特許請求の範囲】
【請求項１】
厨芥を収納する収納容器（１）と、
箱体であって、前記収納容器（１）を収納する乾燥室（２）、
乾燥室内に連通して乾燥室（２）内の空気を循環させるための空気循環路（３）、
及び空気循環路（３）上に備えられた空気循環路（３）内の空気を加熱する加熱ヒーター（４）、
及び空気循環路（３）上に備えられた空気循環路（３）に設けられた送風機（５）、
及び空気循環路（３）上に備えられた乾燥室（２）外の空気を乾燥室（２）内に取り込むための吸気部（６）、
及び空気循環路（３）上に備えられた空気循環路（３）中の空気を前記乾燥室（２）内と後記する排気部（８）へと分岐する分岐部（７）、
及び空気循環路（３）上に備えられた分岐部（７）に連通し、分岐部（７）から流入した空気を排水管に排出する排気部（８）、
前記排気部（８）に備えられ、処理機本体（１０）内の空気は外部へと排出させ、且つ処理機本体（１０）外から内部へ侵入する空気は遮断する逆流防止弁（９）、
から成る処理機本体（１０）と、
から構成した厨芥処理機において、
前記吸気部（６）を、吸気口（１２）を設けたカバー本体（１１）で覆って構成したことを特徴とする厨芥乾燥機。
【請求項２】
前記加熱ヒーター（４）は前記カバー本体（１１）に覆われていることを特徴とする請求項１に記載の厨芥乾燥機。
【請求項３】
前記カバー本体（１１）に、断熱材（１３）を備えたことを特徴とする請求項１又は請求項２に記載の厨芥乾燥機。
【請求項４】
前記空気循環路（３）及び送風機（５）が、前記カバー本体（１１）に覆われていることを特徴とする請求項１乃至請求項３のいずれか一つに記載の厨芥乾燥機。
【請求項５】
前記処理機本体（１０）に凸条部（１４）を設け、且つ該凸条部（１４）に対応する溝部（１５）を前記カバー本体（１１）に設けて、該凸条部（１４）上に溝部（１５）を摺動させ、取り付け位置に配置した状態において処理機本体（１０）に対してカバー本体（１１）を脱着可能としたことを特徴とする請求項１乃至請求項４いずれか一つに記載の厨芥乾燥機。
【請求項６】
前記空気循環路（３）、加熱ヒーター（４）、送風機（５）、吸気部（６）、排気部（８）を前記処理機本体（１０）の上面部分に集約させて構成したことを特徴とする請求項１乃至請求項５のいずれか一つに記載の厨芥乾燥機。
【請求項７】
前記カバー本体（１１）の吸気口（１２）に、外部からカバー本体（１１）の中に害虫が侵入しないための防虫ネット（１６）を、脱着自在に備えたことを特徴とする請求項１乃至請求項６のいずれか一つに記載の厨芥乾燥機。
【請求項８】
前記排気部（８）は、排気部（８）入口に前記逆流防止弁（９）を備えるとともに、排気部（８）の途中経路を下方に向けて略Ｌ字状に屈曲させて構成したことを特徴とする請求項１乃至請求項７のいずれか一つに記載の厨芥乾燥機。
【請求項９】
前記逆流防止弁（９）を、排気部（８）の屈曲より下流に備えるとともに、弁座（９ｃ）と、弁体（９ｂ）と、から構成し、且つ送風機（５）が稼働する時は弁体（９ｂ）が弁座（９ｃ）より上昇して排気部（８）を開放し、送風機（５）が稼働しないときは弁体（９ｂ）が下降して弁座（９ｃ）に着座して排気部（８）を閉鎖する電磁ソレノイド弁（９ａ）と、から構成したことを特徴とする請求項８に記載の厨芥乾燥機。
【請求項１０】
前記逆流防止弁（９）に、通常時は閉鎖し、送風機（５）が稼働する時は処理機本体（１０）内の圧力が正圧となることにより排気部（８）を開放し、送風機（５）が稼働しないときはその自重で排気部（８）を閉鎖する緊急用弁（１７）を備えたことを特徴とする請求項９に記載の厨芥乾燥機。
【発明の詳細な説明】
【技術分野】
【０００１】
本発明は、台所などの屋内で発生する厨芥を乾燥処理する厨芥乾燥機に関するものである。
【背景技術】
【０００２】
図５乃至図６に示す従来の厨芥乾燥機は、以下に記載する収納容器と、処理機本体と、から構成されている。
収納容器は、箱体であって、内部に厨芥を収納する。
処理機本体は、以下に記載する乾燥室、空気循環路、加熱ヒーター、送風機、吸気部、分岐部、排気部、逆流防止弁から構成される。
乾燥室は、箱体であって、前記収納容器を収納する。
空気循環路は、乾燥室内の空気を循環させるため乾燥室内に連通して設けられる。
加熱ヒーターは、その本体部を処理機本体外に備え、本体部から垂下されて空気循環路内の空気を加熱する放熱板を空気循環路に備えて構成する。
送風機は、空気循環路中に備え、電源をＯＮにすると稼働し、ＯＦＦにすると停止するファンモーターユニット部と、空気循環路に設けられたファン部から構成され、加熱ヒーターよりも上流に配置される。
吸気部は、乾燥室外の空気を乾燥室内に取り込むために乾燥室に設けて構成される。
分岐部は、空気循環路に配置され、吸気部より吸入した空気を乾燥室内へ向かう空気と、後記する排気部へ向かう空気とに分岐するものであって、加熱ヒーターより下流に配置される。
排気部は、図６に示すように分岐部よりも下流に配置され、分岐部から流入した空気を厨芥乾燥機外に排出するためのものであって、ホース体を介して排水管に接続し、処理機本体内の空気を排水管内に排出している。また、排気部は途中部分が上方に向けて屈曲して、排気口が排水トラップと同等高さもしくはそれ以上まで位置するように構成する。
逆流防止弁は、前記排気部入り口に備えられ、処理機本体内の空気は外部へと排出させ、且つ処理機本体外から内部へ侵入する空気は遮断するための部材であって、弁座と、弁座より下流に側面方向に可動する弁体、弁体を回動自在に固定するヒンジからなる。そして送風機が稼働する時は、弁体が側面方向且つ弁座より下流側に回動して排気部を開放し、送風機が稼働しないときは、弁体が側面方向上流側に回動し弁座側に着座して排気部を閉鎖する。
また、上記空気循環路、加熱ヒーター、送風機、吸気部、分岐部、排気部、は、処理機本体上部に集約して構成される。
【０００３】
上記の厨芥乾燥機を使用する場合は以下のような作用となる。
図５に示すように収納容器内に厨芥が入っている時、厨芥乾燥機を作動させると送風機のファンモーターユニットが稼働し、ファンが回転して処理機本体の内部の風が循環する。このとき、ファンが乾燥室内の空気を吸い込み、吸い込んだ空気を空気循環路内に放出する。空気循環路内の空気は加熱ヒーターの放熱板で加熱されて温度が上昇する。温度が上昇した空気は分岐部で排気部と乾燥室内へと分岐される。乾燥室内へ分岐された空気は、収納容器内の厨芥上面を通過し、再度送風機のファンに吸い込まれ、前記したように再度空気循環路内を通過して乾燥室内に送り込まれる。また、分岐部から排気部側へと流れ出した空気は排気部からホース体を介して排水管へと排気される。従って、乾燥室内の空気は、上述のように、加熱されて温度が上昇した空気が循環されている構成となる。
【０００４】
上記厨芥乾燥機は、乾燥室内に加熱されて温度が上昇した空気が繰り返し循環するので、乾燥室内の収納容器内の厨芥の水分が蒸発し、乾燥する。そうすることで、厨芥の体積が減少するとともに厨芥からの汁だれ等が無くなる。
また、処理機本体の排気される空気は、排気部に配置した逆止弁が開放するため排水管へと排気される。また、仮に電源がＯＦＦの際も排気部の逆止弁が排気部を閉鎖するので、排水管からの悪臭が処理機本体側へと逆流することはない。
【特許文献１】特開２００１−１５３５５３号
【発明の開示】
【発明が解決しようとする課題】
【０００５】
前記のような従来のごみ乾燥機では、以下の問題があった。
処理機本体内に空気を吸気するための吸気口が処理機本体の外側で開放されているため、外気の温度や湿度によって処理機本体の循環空気が影響を受けやすく、例えば気温が著しく低いときは加熱ヒーターの発熱効率が悪くなり、乾燥室内の厨芥の乾燥に時間がかかったり、乾燥が不十分などの問題があった。
また、排気部の構造が、途中経路が上方に屈曲している構造としていることから、排水管内とその外気との温度の差により発生する結露水が、排気部内の排気部入り口から上方に屈曲している部分に溜まってしまうことがあった。さらに、逆流防止弁が側面方向に回動する構造で、排気部入り口に備えていることから、前記結露水が排気部内に溜まった場合に、結露水によって弁体が弁座に着座せず、排気部が閉鎖できなくなり、排水管の悪臭が処理機本体内に逆流する場合があった。
【０００６】
以上のことから、本発明の厨芥乾燥機は、処理機本体外の温度に影響されることなく、また加熱ヒーターの発熱効率を向上させ、且つ逆止弁の誤作動を解消することを目的として発明されたものである。
【課題を解決するための手段】
【０００７】
本発明の厨芥乾燥機は、厨芥を収納する収納容器（１）と、箱体であって、前記収納容器（１）を収納する乾燥室（２）、乾燥室内に連通して乾燥室（２）内の空気を循環させるための空気循環路（３）、及び空気循環路（３）上に備えられた空気循環路（３）内の空気を加熱する加熱ヒーター（４）、及び空気循環路（３）上に備えられた空気循環路（３）に設けられた送風機（５）、及び空気循環路（３）上に備えられた乾燥室（２）外の空気を乾燥室（２）内に取り込むための吸気部（６）、及び空気循環路（３）上に備えられた空気循環路（３）中の空気を前記乾燥室（２）内と後記する排気部（８）へと分岐する分岐部（７）、及び空気循環路（３）上に備えられた分岐部（７）に連通し、分岐部（７）から流入した空気を排水管に排出する排気部（８）、前記排気部（８）に備えられ、処理機本体（１０）内の空気は外部へと排出させ、且つ処理機本体（１０）外から内部へ侵入する空気は遮断する逆流防止弁（９）、から成る処理機本体（１０）と、から構成した厨芥処理機において、前記吸気部（６）を、吸気口（１２）を設けたカバー本体（１１）で覆って構成したことを特徴とする厨芥乾燥機である。
【０００８】
本発明の厨芥乾燥機は、加熱ヒーター（４）は前記カバー本体（１１）に覆われていることを特徴とする前記段落０００７に記載の厨芥乾燥機である。
【０００９】
本発明の厨芥乾燥機は、カバー本体（１１）に、断熱材（１３）を備えたことを特徴とする前記段落０００７又は０００８に記載の厨芥乾燥機である。
【００１０】
本発明の厨芥乾燥機は、空気循環路（３）及び送風機（５）が、前記カバー本体（１１）に覆われていることを特徴とする前記段落０００７乃至０００８のいずれか一つに記載の厨芥乾燥機である。
【００１１】
本発明の厨芥乾燥機は、処理機本体（１０）に凸条部（１４）を設け、且つ該凸条部（１４）に対応する溝部（１５）を前記カバー本体（１１）に設けて、該凸条部（１４）上に溝部（１５）を摺動させ、取り付け位置に配置した状態において処理機本体（１０）に対してカバー本体（１１）を脱着可能としたことを特徴とする前記段落０００７乃至００１０のいずれか一つに記載の厨芥乾燥機である。
【００１２】
本発明の厨芥乾燥機は、空気循環路（３）、加熱ヒーター（４）、送風機（５）、吸気部（６）、排気部（８）を前記処理機本体（１０）の上面部分に集約させて構成したことを特徴とする前記段落０００７乃至００１１のいずれか一つに記載の厨芥乾燥機である。
【００１３】
本発明の厨芥乾燥機は、カバー本体（１１）の吸気口（１２）に、外部からカバー本体（１１）の中に害虫が侵入しないための防虫ネット（１６）を、脱着自在に備えたことを特徴とする前記段落０００７乃至００１２のいずれか一つに記載の厨芥乾燥機である。
【００１４】
本発明の厨芥乾燥機は、排気部（８）は、排気部（８）入口に前記逆流防止弁（９）を備えるとともに、排気部（８）の途中経路を下方に向けて略Ｌ字状に屈曲させて構成したことを特徴とする前記段落０００７乃至００１３のいずれか一つに記載の厨芥乾燥機である。
【００１５】
本発明の厨芥乾燥機は、逆流防止弁（９）を、排気部（８）の屈曲より下流に備えるとともに、弁座（９ｃ）と、弁体（９ｂ）と、から構成し、且つ送風機（５）が稼働する時は弁体（９ｂ）が弁座（９ｃ）より上昇して排気部（８）を開放し、送風機（５）が稼働しないときは弁体（９ｂ）が下降して弁座（９ｃ）に着座して排気部（８）を閉鎖する電磁ソレノイド弁（９ａ）と、から構成したことを特徴とする前記段落００１４に記載の厨芥乾燥機である。
【００１６】
本発明の厨芥乾燥機は、逆流防止弁（９）に、通常時は閉鎖し、送風機（５）が稼働する時は処理機本体（１０）内の圧力が正圧となることにより排気部（８）を開放し、送風機（５）が稼働しないときはその自重で排気部（８）を閉鎖する緊急用弁（１７）を備えたことを特徴とする前記段落００１５に記載の厨芥乾燥機である。
【発明の効果】
【００１７】
本発明の厨芥乾燥機は以下の効果を奏する。
１．本発明の厨芥乾燥機は、カバー本体の内部に吸気部が構成されているので処理機本体外の空気を直接的に吸気することがない。このため、吸気する空気を外気温の影響を受けにくくすることが出来る。
２．カバー本体には断熱材が備えられているので、カバー本体内の温度を外部に逃がさない。このため、カバー本体外の温度にカバー本体内の温度は影響されにくい。
３．カバー本体内に加熱ヒーターを構成していることから、加熱ヒーターで暖められた空気を保温したままで再度吸気することができる。このため、暖まった空気を再度空気循環路の加熱ヒーターで加熱させるので、加熱ヒーターの発熱効率が非常に向上する。
４．空気循環路をカバー本体内に構成したことで、空気循環路内部を循環する加熱空気を、円滑に保温しつつ循環させることができる。
５．送風機をカバー本体内に構成したことで、送風機のファンモーターユニット自身が発する熱もカバー本体内で保温され、さらに加熱ヒーターの発熱効率を向上させる。
６．処理機本体に対してカバー本体を脱着自在に構成したことで、吸気部や加熱ヒーター、送風部のメンテナンスや修理を行うことが出来る。
７．処理機本体上面に、空気循環路、送風機、加熱ヒーター、排気口、吸気口を集約して構成した。このため、空気循環路、送風機、加熱ヒーターを保温することが出来るとともに、それらのメンテナンスの際も、カバー本体のみを着脱するだけで終了することが出来る。
８．カバー本体に溝部、処理機本体上部に凸条部を構成させて、両者を摺動自在としたことで、処理機本体に対してカバー本体をスライドさせるだけで簡単に取り外すことが出来る。
９．カバー本体の吸気口に防虫ネットを脱着自在に備えたことで、防虫ネットを取り外して洗うだけで防虫ネットに捕集された害虫やゴミなどを掃除することが出来る。
１０．排気部の途中経路を下方に向けた略Ｌ字状としたことで、排気部内が結露したとしても、結露水は排気部内に貯留することなく排水管へ排水される。このため、逆流防止弁が誤作動することなく円滑に作動することが出来る。
１１．電磁ソレノイド弁は、電流によって弁体の開閉を行うため、電源のＯＮ／ＯＦＦで必ず排気部を開放／閉鎖する。このため、処理機本体から排出される空気を排水管へと円滑に排水することができるとともに、排水管からの悪臭や害虫が処理機本体内へと逆流することが無くなる。
１２．電磁ソレノイド弁に緊急用弁を備えたため、仮に電磁ソレノイド弁が故障して稼働しなくなっても、修理を行うまでに排気部の解放及び閉鎖を緊急用弁が行うので、処理機本体内に排水管からの悪臭や害虫が逆流する事はない。
【発明を実施するための最良の形態】
【００１８】
本発明の図１乃至図４（ａ）に示す厨芥乾燥機は、以下に記載する収納容器（１）と、処理機本体（１０）と、カバー本体（１１）と、から構成されている。
収納容器（１）は、箱体であって、内部に厨芥を収納する。
処理機本体（１０）は、以下に記載する乾燥室（２）、空気循環路（３）、加熱ヒーター（４）、送風機（５）、吸気部（６）、分岐部（７）、排気部（８）、逆流防止弁（９）から構成される。
乾燥室（２）は、箱体であって、前記収納容器（１）を収納する。
空気循環路（３）は、乾燥室（２）内の空気を循環させるための構造であって、両端を乾燥室（２）内に連通して設けられる。
加熱ヒーター（４）は、その本体を処理機本体（１０）外に備え、本体から垂下されて空気循環路（３）内の空気を加熱する放熱板（４ａ）を空気循環路（３）内に備えて構成する。
送風機（５）は、処理機本体（１０）に備えられた、ファンモーターユニット部（５ｂ）と、空気循環路（３）に設けられたファン部（５ａ）から構成され、加熱ヒーター（４）よりも上流に配置される。
吸気部（６）は、乾燥室（２）外の空気を乾燥室（２）内に取り込むための構造であって、乾燥室（２）に設けられて成る。
分岐部（７）は、空気循環路（３）に配置され、吸気部（６）より吸入した空気を、前記乾燥室（２）内へ向かう空気と、後記する排気部（８）へ向かう空気と、に分岐するものであって、加熱ヒーター（４）より下流に配置される。
排気部（８）は、分岐部（７）よりも下流に配置され、分岐部（７）から流入した空気を排水管に排出するためのものであって、ホース体（図示せず）を介して排水管（図示せず）に接続し、処理機本体（１０）内の空気を排水管内に排出している。また、排気部（８）は途中部分を下方に向けて屈曲させて構成している。
逆流防止弁（９）は、図４（ａ）に示すように前記排気部（８）入口に備えられ、処理機本体（１０）内の空気は外部へと排出させ、且つ処理機本体（１０）外から内部へ侵入する空気は遮断するための部材であって、弁座（９ｃ）と、弁座（９ｃ）より下流に側面方向に可動する弁体（９ｂ）、弁体（９ｂ）を回動自在に固定するヒンジからなる。そして送風機（５）が稼働する時は、弁体（９ｂ）が側面方向且つ弁座（９ｃ）より下流側に回動して排気部（８）を開放し、送風機（５）が稼働しないときは、弁体（９ｂ）が側面方向上流側に回動し弁座（９ｃ）側に着座して排気部（８）を閉鎖する。
また、上記空気循環路（３）、加熱ヒーター（４）、送風機（５）、吸気部（６）、排気部（８）、は、処理機本体（１０）上部に集約して構成される。そして、処理機本体（１０）上部には凸形状の溝である凸条部（１４）を構成している。
カバー本体（１１）は、図２及び図３に示すように前面が解放された箱体のカバー（１１ａ）、カバー（１１ａ）に取り付けられる前面パネル（１１ｂ）、からなり、前記空気循環路（３）、加熱ヒーター（４）、送風機（５）、吸気部（６）、分岐部（７）、排気部（８）を処理機本体（１０）上面から覆う部材である。
図２に示したカバー（１１ａ）内面には、前記処理機本体（１０）の凸条部（１４）と摺動自在に対応する、溝部（１５）が構成される。また、カバー（１１ａ）内面にはグラスウールやウレタン樹脂などの断熱材（１３）が備えられるとともに後記する前面パネル（１１ｂ）の係合爪（１１ｃ）と係合する、係合凹部（１１ｄ）が構成される。
図３に示した前面パネル（１１ｂ）は、一部が開口された吸気口（１２）と、処理機本体（１０）外の害虫などが、吸気口（１２）からカバー（１１ａ）内部に進入しないように、吸気口（１２）に脱着自在に備えられる防虫ネット（１６）を構成して成る。また、吸気口（１２）には、吸気口（１２）上面を除く三面方向に断面視略Ｌ字状のキャッチ（１２ａ）が構成され、前記防虫ネット（１６）を上方からスライド自在且つ脱着自在に取り付ける構成としている。
また、前面パネル（１１ｂ）には、前記カバー（１１ａ）の係合凹部（１１ｄ）と係合する係合爪（１１ｃ）を構成し、カバー（１１ａ）に対して前面パネル（１１ｂ）は脱着自在の構成としている。
以上の構成より、カバー本体（１１）は、前面パネル（１１ｂ）を取り外してカバー（１１ａ）を前後に摺動させ、定位置にて処理機本体（１０）に対して脱着自在かつ取付可能に構成される。
【００１９】
前記の厨芥乾燥機は以下のようにして使用することができる。
収納容器（１）内に厨芥が入っている場合に、厨芥乾燥機を作動させると送風機（５）のファンモーターユニット部（５ｂ）が稼働し、ファン部（５ａ）が回転して処理機本体（１０）の内部を風が循環する。個々の部材の作用を説明すると、ファン部（５ａ）が乾燥室（２）内の空気を吸い込み、更に空気循環路（３）内に放出する。空気循環路（３）内の空気は加熱ヒーター（４）の放熱板（４ａ）からの放熱により加熱されて温度が上昇された上で分岐部（７）に送られ、分岐部（７）で排気部（８）と乾燥室（２）内へと分岐される。乾燥室（２）内へ分岐された空気は、収納容器（１）内の厨芥上面を通過し、厨芥の水分を奪った上で再度送風機（５）のファン部（５ａ）に吸い込まれ、前記したように再度空気循環路（３）内を循環する。また、分岐部（７）から排気部（８）側へと流れ出した空気は排気部（８）からホース体を介して排水管へと排気される。このとき、逆流防止弁（９）は処理機本体（１０）内が正圧となっているため側面方向に可動し、分岐部（７）からの排気を排水管側へと排気することができる。上述のように、乾燥室（２）内の空気は、加熱されて温度が上昇した空気が循環されている構成となる。
【００２０】
前記の厨芥乾燥機において、吸気部（６）はカバー本体（１１）の内部に構成されている。このため、カバー本体（１１）内の空気を吸気し、処理機本体（１０）外の空気を直接的に吸気することがないので、外気温の影響を受けにくくすることができる。
また、カバー本体（１１）には断熱材（１３）が備えられているので、カバー本体（１１）内の温度を外部に逃がさない。このため、カバー本体（１１）内の温度を、カバー本体（１１）外の温度に影響されにくくすることができる。
また、カバー本体（１１）内に加熱ヒーター（４）を構成していることから、加熱ヒーター（４）自身が発する熱はカバー本体（１１）内の空気を暖め、この温められた空気が保持され、さらにカバー本体（１１）内の吸気部（６）で再度吸気される。このようにして、暖まった空気を再度空気循環路（３）の加熱ヒーター（４）で加熱させるので、加熱ヒーター（４）の発熱効率が非常に向上する。
また、空気循環路（３）をカバー本体（１１）内に構成したことで、空気循環路（３）内部を循環する空気が、外気温によって冷まされることなく良好に保温されつつ循環される。
また、送風機（５）をカバー本体（１１）内に構成したことで、送風機（５）のファンモーターユニット部（５ｂ）自身が発する熱もカバー本体（１１）内で保温され、空気循環の熱効率を向上させる。
【００２１】
更に、処理機本体（１０）に対してカバー本体（１１）を脱着自在に構成したことで、吸気部（６）や加熱ヒーター（４）、送風機（５）のメンテナンスや修理を容易に行うことが出来る。
また、処理機本体（１０）上面には、空気循環路（３）、送風機（５）、加熱ヒーター（４）、排気部（８）、吸気部（６）を集約して構成してなる。このため、カバー本体（１１）を一つ備えるだけで、空気循環路（３）、送風機（５）、加熱ヒーター（４）を保温することが出来るとともに、それらのメンテナンスも、カバー本体（１１）のみを着脱するだけで行うことが出来る。
また、カバー本体（１１）に溝部（１５）、処理機本体（１０）上部に凸条部（１４）を構成させて、両者を摺動自在としたことで、処理機本体（１０）に対してカバー本体（１１）をスライドさせるだけで、簡単にカバー本体（１１）を取り外すことが出来る。
また、カバー本体（１１）の吸気口（１２）に防虫ネット（１６）を脱着自在に備えたことで、防虫ネット（１６）を取り外して洗うだけで防虫ネット（１６）に捕集された害虫やゴミなどを掃除することが出来る。
【００２２】
また、排気部（８）の途中経路を下方に向けた略Ｌ字状としたことで、排気部（８）内が結露したとしても、結露水は排気部（８）内に溜まることなく排水管へ排水される。このため、逆流防止弁（９）が誤作動することなく円滑に作動することが出来る。
【００２３】
また、その他の実施例として、図４（ｂ）に示した以下の構成の厨芥乾燥機がある。
逆流防止弁（９）以外の構成及び作用は前記段落００１８乃至段落００２２に記載した構成と同様である。
逆流防止弁（９）は、排気部（８）の屈曲より下流に備えられる電磁力により稼働する電磁ソレノイド弁（９ａ）を備えてなる。該電磁ソレノイド弁（９ａ）は、弁座（９ｃ）と、弁座（９ｃ）上を上下動する弁体（９ｂ）とから構成されて成り、送風機（５）が稼働する時は電流が流れて弁体（９ｂ）が弁座（９ｃ）より上昇し、常に排気部（８）を開放する。送風機（５）が稼働しないときは電流が流れず弁体（９ｂ）が下降し、弁体（９ｂ）が弁座（９ｃ）に着座して排気部（８）を閉鎖する。
また、逆流防止弁（９）には、電磁ソレノイド弁（９ａ）とは別に通常時は閉鎖して成り、電磁ソレノイド弁（９ａ）が作動しなくなって、処理機本体（１０）内の圧力が過度の正圧となる場合のみ排気部（８）を開放する緊急用弁（１７）が構成される。
【００２４】
該電磁ソレノイド弁（９ａ）は、電流によって弁体（９ｂ）の開閉を行うため、電源をＯＦＦにした際は必ず排気部（８）を閉鎖する。このため、排水管からの悪臭や害虫が処理機本体（１０）内へと逆流することが無くなる。また、電源をＯＮにすると必ず排気部（８）が解放されるため、処理機本体（１０）から排出される空気を排水管へと円滑に排水することが出来る。従って、電磁ソレノイド弁（９ａ）を用いると、従来例のように逆流防止弁（９）の誤作動が無くなる。
また、電磁ソレノイド弁（９ａ）に緊急用弁（１７）を備えたため、仮に電磁ソレノイド弁（９ａ）が故障して稼働しなくなっても、修理を行うまでに排気部（８）の解放及び閉鎖を緊急用弁（１７）が行うので、処理機本体（１０）内に排水管からの悪臭や害虫が逆流する事はない。
【００２５】
また、本発明の厨芥乾燥機は、前記実施例に限定されるものではなく、請求の範囲において、適宜変更は可能である。
【図面の簡単な説明】
【００２６】
【図１】本発明の厨芥乾燥機の内部の空気循環を示す概略断面図である。
【図２】本発明の厨芥乾燥機の処理機本体とカバー本体を着脱時の斜視図である。
【図３】本発明の厨芥乾燥機の前面パネルの斜視図である。
【図４】（ａ）本発明の厨芥乾燥機の排気部の概略断面図である。（ｂ）本発明の厨芥乾燥機の逆流防止弁が電磁ソレノイド弁の場合の概略断面図である。
【図５】従来例の厨芥乾燥機の空気の流れを示す概略断面図である。
【図６】従来例の厨芥乾燥機の排気部の概略断面図である。
【符号の説明】
【００２７】
１      収納容器
２      乾燥室
３      空気循環路
４      加熱ヒーター
４ａ    放熱板
５      送風機
５ａ    ファン部
５ｂ    ファンモーターユニット部
６      吸気部
７      分岐部
８      排気部
９      逆流防止弁
９ａ    電磁ソレノイド弁
９ｂ    弁体
９ｃ    弁座
１０    処理機本体
１１    カバー本体
１１ａ  カバー
１１ｂ  前面パネル
１１ｃ  係合爪
１１ｄ  係合凹部
１２    吸気口
１２ａ  キャッチ
１３    断熱材
１４    凸条部
１５    溝部
１６    防虫ネット
１７    緊急用弁
【図１】
2005144246.tif 000003
【図２】
2005144246.tif 000004
【図３】
2005144246.tif 000005
【図４】
2005144246.tif 000006
【図５】
2005144246.tif 000007
【図６】
2005144246.tif 000008